(57)【要約】【課題】  袋体を開口させた状態で位置ずれなく安定性よく自立保持させることができる袋保持具を提供すること。【解決手段】  柔軟性を有する袋体１の内側に装着され、袋体１を開口させた状態で自立保持させるための袋保持具１０であって、袋体１の開口部２を支持するための開口枠部１１と、開口枠部１１から下方外側に向けて延設された弾性を有する脚部１２ａ〜１２ｅとを備え、袋体１内に挿入された脚部１２ａ〜１２ｅの開脚方向への復元力により、袋体１の胴部３が保持されるように構成されている。【選択図】  図１
0003117788.tif 000002
【実用新案登録請求の範囲】
【請求項１】
柔軟性を有する袋体の内側に装着され、該袋体を開口させた状態で自立保持させるための袋保持具であって、
前記袋体の開口部を支持するための開口枠部と、                                    該開口枠部から下方外側に向けて延設された少なくとも３本以上の弾性を有する脚部とを備え、
前記袋体内に挿入された前記脚部の開脚方向への復元力により、前記袋体の胴部が保持されるように構成されていることを特徴とする袋保持具。
【請求項２】
前記袋体の開口部を前記開口枠部に止めるための固定手段を備えていることを特徴とする請求項１記載の袋保持具。
【請求項３】
前記開口枠部が、矩形形状からなり、対向する一対の枠辺が互いに２等分された状態で枠内又は枠外に向けて折り畳めるように構成されていることを特徴とする請求項１又は請求項２記載の袋保持具。
【請求項４】
前記開口枠部が、複数の枠棒部材と、これら枠棒部材及び前記脚部を連結するための複数の継手手段とを含んで構成されていることを特徴とする請求項１又は請求項２記載の袋保持具。
【請求項５】
前記複数の脚部を束ねるとともに、該束ねた脚部を開脚させるための巻き止め手段を備えていることを特徴とする請求項１〜４のいずれかの項に記載の袋保持具。            
【考案の詳細な説明】
【技術分野】
【０００１】
本考案は袋保持具に関し、より詳細には、柔軟性を有する袋体の内側に装着され、該袋体を開口させた状態で自立保持させるための袋保持具に関する。
【背景技術】
【０００２】
従来からポリエチレンやナイロン等の柔軟性を有する容量が大きなごみ袋は、大型のポリ容器等のごみ容器内に装着して使用されるのが一般的である。このような大型のごみ容器は、据置用として使用される場合には特に大きな問題は生じないが、自宅の庭や公園等の敷地を清掃する場合に、このような大型のごみ容器内に装着されたごみ袋に、集めたごみを袋詰めしていく作業は、容器の携行性が悪く、不便であり、また普段使用しないときにこの大型容器を収納しておくための広いスペースも必要になるという問題があった。
【０００３】
そのため、自宅の庭や公園等の敷地の清掃時に、このようなごみ袋を内側に装着する形式のごみ容器はあまり利用されておらず、集めたごみをごみ袋に直接投入してゆく場合が多い。この場合、ごみ袋の口を安定した状態で開口させておくのが難しいため、誰かにごみ袋の口を手で広げてもらった状態で、ごみを投入したり、また、一人の場合には、ごみ袋の胴部を広げた状態で地面におき、口を広げて、少量ずつごみを袋に入れ、次第にごみ袋の胴部を引き上げながら、ごみを入れていかなければならず、集めたごみを一度に大量にごみ袋に入れることが難しく、ごみの袋詰め作業に意外に時間がかかってしまうという問題があった。
【０００４】
そこで、ごみ等の投入を助成するために開口した状態に袋を支持するための手段をもったスタンドやフレームが開発されている。図１１は、下記の特許文献１に記載されたごみ袋の固定器具を模式的に示した斜視図である。
【０００５】
ごみ袋の固定器具１００は、逆凹形状をした２つの脚部１０１ａ、１０１ｂの上部が連結部材１０２ａ、１０２ｂで連結された構造になっている。ごみ袋の固定器具１００を、ごみ袋１１０の内側に差し込んで設置し、ごみ１１１が一杯になったら、ごみ袋１１０から上部へ抜き取るようにして使用するようになっている。ごみ袋の固定器具１００によれば、ごみ袋１１０に直接ごみ１１１を容易に投入することができるとしている。
【０００６】
しかしながら、特許文献１記載のごみ袋の固定器具１００は、ごみ袋１１０に脚部１０１ａ、１０１ｂを単に差し込んでいるだけなので、ごみが少ない時には、ごみ袋１１０の開口部１１０ａが下にずれてしまい、ごみ袋１１０の自立状態の安定性が悪いという問題があった。また、ごみ袋の固定器具１００は、フレームだけで構成されているものの、依然として不使用時の収納性に劣るという問題があった。
【特許文献１】特開２００３−２９２１０５号公報
【考案の開示】
【課題を解決するための手段及びその効果】
【０００７】
本考案は上記課題に鑑みなされたものであって、袋体を開口させた状態で位置ずれなく安定性よく自立保持させることができ、また、利用時の携帯性や不使用時の収納性に優れた袋保持具を提供することを目的としている。
【０００８】
上記目的を達成するために本考案に係る袋保持具（１）は、柔軟性を有する袋体の内側に装着され、該袋体を開口させた状態で自立保持させるための袋保持具であって、前記袋体の開口部を支持するための開口枠部と、該開口枠部から下方外側に向けて延設された少なくとも３本以上の弾性を有する脚部とを備え、前記袋体内に挿入された前記脚部の開脚方向への復元力により、前記袋体の胴部が保持されるように構成されていることを特徴としている。
【０００９】
上記袋保持具（１）によれば、前記開口枠部と、該開口枠部から下方外側に向けて延設された少なくとも３本以上の弾性を有する脚部とを備え、前記袋体の内側に挿入された前記脚部の開脚方向への復元力（すなわち、前記脚部の弾性力）により、前記袋体の胴部が張った状態で保持されるので、前記袋体に物（ごみ等）が入っていない状態であっても、また、横に倒して使用したりしても、前記袋体の開口部や胴部が下にずれないように保持することができ、前記袋体を開口させた状態で位置ずれなく安定した状態に自立させることができ、ごみ等の物の投入を確実かつ迅速に行うことができる。
【００１０】
また本考案に係る袋保持具（２）は、上記袋保持具（１）において、前記袋体の開口部を前記開口枠部に止めるための固定手段を備えていることを特徴としている。
上記袋保持具（２）によれば、前記固定手段によって、前記袋体の開口部を前記開口枠部に確実に止めることができ、ごみ等の投入時等における前記袋体の開口部の位置ずれを防止することができる。また、前記袋体を自立保持させておくだけでなく、例えば、前記袋体を倒して開口部を側面にした状態で、塵取りのように利用することができ、前記袋体の使い方のバリエーションを増やすことができる。
【００１１】
なお、前記固定手段としては、例えば、前記開口枠部に一端側が回動自在に取り付けられた係止片を設け、袋体の開口部の一部を前記開口枠部と前記係止片との間に挟んだ状態で、前記係止片の他端側に設けられた引掛部を前記開口枠部に形成された係止部に係止させる構成、前記開口枠部にＪ字形状等のフック（係止手段）を設け、該フックに袋体の開口部を係止（突き刺してもよい）させる構成、又はクリップ等の挟持具を用いて前記袋体の開口部を前記開口枠部に止める構成等が採用され得る。なお、前記固定手段は、前記開口枠部の形状やサイズ等に応じて、十分な固定機能が得られるように必要個数設けることが好ましい。
【００１２】
また本考案に係る袋保持具（３）は、上記袋保持具（１）又は（２）において、前記開口枠部が、矩形形状からなり、対向する一対の枠辺が互いに２等分された状態で枠内又は枠外に向けて折り畳めるように構成されていることを特徴としている。
【００１３】
上記袋保持具（３）によれば、前記開口枠部が、矩形形状からなり、対向する一対の枠辺が互いに２等分された状態で枠内又は枠外に向けて折り畳めるように構成されているので、前記開口枠部を折り畳んだコンパクトな状態で携帯することができるとともに、不使用時には、前記開口枠部を折り畳んだコンパクトな状態で収納することができ、携帯性及び収納性に優れたものにすることができる。
【００１４】
また本考案に係る袋保持具（４）は、上記袋保持具（１）又は（２）において、前記開口枠部が、複数の枠棒部材と、これら枠棒部材及び前記脚部を連結するための複数の継手手段とを含んで構成されていることを特徴としている。
【００１５】
上記袋保持具（４）によれば、前記開口枠部が、複数の枠棒部材と、これら枠棒部材及び前記脚部を連結するための複数の継手手段とを含んで構成されているので、不使用時には、前記開口枠部を複数の枠棒部材と継手部品とに分解し、各部を分解したコンパクトな状態で収納することができ、収納性に優れたものとすることができる。また、さらに前記複数の枠棒部材と前記脚部とを継手手段を介して伸縮性の弾性部材（例えば、コイルバネやゴムなどの弾性繊維等）で連結する構成としてもよく、係る構成によれば、各部を分解したあとでも、部品がばらばらになることなく、弾性部材で繋がった状態で折り畳んで収納することができ、また、繋がった状態になっているので組立時間も短縮することができる。
【００１６】
また本考案に係る袋保持具（５）は、上記袋保持具（１）〜（４）のいずれかにおいて、前記複数の脚部を束ねるとともに、該束ねた脚部を開脚させるための巻き止め手段を備えていることを特徴としている。
【００１７】
上記袋保持具（５）によれば、前記巻き止め手段で前記複数の脚部を束ねることによって、前記脚部を束ねた状態のまま、前記袋体に差し込みながら、前記開口枠部が前記袋体の開口部に引っ掛かる程度まで、前記袋体の開口部を上に引き上げる作業、すなわち、袋保持具の位置合わせ作業を容易に行うことができ、前記袋体への装着を容易かつ正確に行うことが可能となる。
【考案を実施するための最良の形態】
【００１８】
以下、本考案に係る袋保持具の実施の形態を図面に基づいて説明する。図１は、実施の形態（１）に係る袋保持具を模式的に示した斜視図であり、（ａ）は、袋体未装着時の状態、（ｂ）は、袋体装着時の状態を示している。なお、以下の実施の形態では、大容量（例えば、４５Ｌ以上）の袋体に適用される袋保持具について説明する。
【００１９】
図中１０は、袋保持具を示しており、袋保持具１０は、柔軟性を有する袋体１の開口部２を支持するための略半円形状をした開口枠部１１と、開口枠部１１から下方外側に向けて延設された弾性を有する５本の脚部１２ａ〜１２ｅとを備えており、袋体１内に挿入される脚部１２ａ〜１２ｅの開脚方向への復元力（すなわち、脚部１２ａ〜１２ｅの弾性力）によって、袋体１の胴部３が張った状態で保持されるように構成されている。
【００２０】
開口枠部１１と脚部１２ａ〜１２ｅとは、円柱又は円筒形状をしたプラスチック材により一体形成されており、開口枠部１１の大きさは、袋体１の開口部２の大きさと略同程度か、やや小さめとなるように設定されている。なお、開口枠部１１と脚部１２ａ〜１２ｅとは、曲げ弾性を有する細めの金属棒や木材等で構成することもできる。
【００２１】
また、脚部１２ａ〜１２ｅの長さは、袋体１に装着した時の脚部１２ａ〜１２ｅの先端部分の広がりが、開口枠部１１のサイズよりも小さくならないように（すなわち、自立時の安定性が保たれるように）、好ましくは、開口枠部１１のサイズよりも幾分大きく広がるように袋体１のサイズ等を考慮して設定されている。さらに、袋体未装着時における脚部１２ａ〜１２ｅの開脚角度θ（垂直軸となす角）は、脚部の長さ、太さ、弾性、及び袋体１のサイズや材質（強度）等を考慮し、脚部１２ａ〜１２ｅによって、袋体１の胴部３が、位置ずれしない程度の力で押さえられる角度であれば、０°より大きく９０°未満の範囲で特に限定されるものではないが、袋体１への装着のしやすさ等を考慮して、例えば、３°〜３０°程度の範囲に設定するのが好ましい。脚部１２ａ〜１２ｅの先端部は、袋体１を傷付けにくい形状、この場合半球状に加工されている。
【００２２】
また、袋保持具１０の袋体１への装着後、複数の挟持具１３によって、袋体１の開口部２が開口枠部１１の内側に巻き付けた状態で止められるようになっており、袋体１の開口部２が弛まないようにしている。
【００２３】
次に袋保持具１０の袋体１への装着方法について説明する。図２は、実施の形態（１）に係る袋保持具１０の袋体１への装着方法を説明するための図である。まず、準備として、袋体１の開口部２を広げたものを用意し、次に、袋保持具１０の脚部１２ａ〜１２ｅを束ねる（図２（ａ））。なお、袋体１への差し込みが容易になるように、開口枠部１１の上から枠内に手を通して片手（図示せず）で脚部１２ａ〜１２ｅを束ねるようにするとよい。
【００２４】
次に、脚部１２ａ〜１２ｅを束ねた状態のまま、袋体１に差し込みながら、開口枠部１１が、袋体１の開口部２に引っ掛かる程度まで、袋体１の開口部２を引き上げる（図２（ｂ））。
【００２５】
次に、片手で束ねていた脚部１２ａ〜１２ｅを解放する（図２（ｃ））。すると、脚部１２ａ〜１２ｅが開脚して、袋体１の胴部３に接するとともに、内側に曲げていた脚部１２ａ〜１２ｅの復元力により袋体１の胴部３が押し広げられ、袋体１がずれないように保持されるとともに、脚部１２ａ〜１２ｅの先端部が広がった状態で保持されるようになっている。その後、図１（ｂ）に示したように複数の挟持具１３で、袋体１の開口部２を開口枠部１１の内側に巻き付けた状態で止める。
【００２６】
また、使用時には、袋保持具１０が装着された袋体１を自立させた状態（すなわち、図１（ｂ）の状態）で使用したり、或は、図３に示したように、横に倒して、塵取りのように使用することもできる。
【００２７】
上記実施の形態（１）に係る袋保持具１０によれば、開口枠部１１と、開口枠部１１から下方外側に向けて延設された弾性を有する脚部１２ａ〜１２ｅとを備え、袋体１内に挿入された脚部１２ａ〜１２ｅの開脚方向への復元力により、袋体１の胴部３が張った状態で保持されるので、袋体１に物（ごみ等）が入っていない状態であっても、また、横に倒して使用したりしても、袋体１の開口部２や胴部３が下にずれないようにすることができ、袋体１を開口させた状態で位置ずれなく安定した状態で自立保持させることができ、ごみ等の物の投入を確実かつ迅速に行うことができる。
【００２８】
また、袋体１の開口部２を開口枠部１１に止めるための複数の挟持具１３を備えているので、これら挟持具１３によって、袋体１の開口部２を開口枠部１１に確実に止めることができ、ごみ等の投入時における袋体１の開口部２の弛みや位置ずれを防止することができる。また、販売店舗等では、袋保持具１０を上に重ねた状態で保管や陳列を行うことができる。
【００２９】
なお、上記実施の形態（１）では、開口枠部１１を略半円形状とし、脚部１２ａ〜１２ｅを５本設ける構成としたが、開口枠部１１の枠形状は、袋体１の開口部２内に納まる形状であれば、円形、矩形、多角形など、どのような形状であってもよく、また、脚部は、立脚時の安定性が保てるように３本以上で構成されていればよい。
【００３０】
また、上記実施の形態（１）では、複数の挟持具１３によって、袋体１の開口部２が開口枠部１１に巻き付けて止められるようになっているが、別の実施の形態では、図４（ａ）、（ｂ）に示したように、開口枠部１１に一端側１４ａが回動自在に取り付けられた側面視円弧形状をした係止片１４を設け、袋体１の開口部２の一部を開口枠部１１と係止片１４との間に挟んだ状態で、係止片１４の他端側１４ｂに設けられた引掛部１４ｃを開口枠部１１に形成された係止部１１ａに係止させる構成（図４（ｂ）参照）として、袋体１の開口部２を開口枠部１１に止めるようにしてもよい。なお、係止片１４は、開口枠部１１の複数箇所（例えば４箇所以上）に設けるのが好ましく、また、係止片１４の内側面にゴム等の弾性部材（図示せず）を設けることにより、開口枠部１１との係合力を高めることができ、内容物の重みによる袋体１の位置ずれを防止する効果を高めることができる。また、係止片１４の形状は、開口枠部１１の形状に合わせた形状に設定すればよく、係止片１４の幅も開口枠部１１の形状を考慮して大小様々なサイズ（例えば、１０ｍｍ以上）に設定することが可能であり、また、係止片１４の引掛部１４ｃと、開口枠部１１の係止部１１ａとの係止構造も種々の形態のものが採用され得る。
【００３１】
また、挟持具１３や係止片１４等を用いずに、開口枠部１１の枠のサイズを、袋体１の開口部２のサイズよりも少し大きめに設定し、袋体１の柔軟性を利用して開口部２を開口枠部１１に係止させる構成としてもよい。
【００３２】
図５は、実施の形態（２）に係る袋保持具を模式的に示した斜視図であり、（ａ）は、袋体未装着時の状態、（ｂ）は、袋体装着時の状態を示している。
図中２０は、袋保持具を示しており、袋保持具２０は、柔軟性を有する袋体１の開口部２を支持するための矩形形状をした開口枠部２１と、開口枠部２１の四隅から下方外側に向けて延設された弾性を有する４本の脚部２２ａ〜２２ｄとを備えており、袋体１内に挿入される脚部２２ａ〜２２ｄの開脚方向への復元力によって、袋体１の胴部３が保持されるように構成されている。
【００３３】
実施の形態（２）に係る袋保持具２０における開口枠部２１は、対向する一対の枠辺が互いに２等分された状態で枠内に向けて折り畳めるように構成されている。図６は、実施の形態（２）に係る袋保持具２０の開口枠部２１の折り畳み構造を説明するための図であり、（ａ）は、組立後（折り畳み前）の状態を示す平面図、（ｂ）は、折り畳み後の状態を示す平面図である。
【００３４】
開口枠部２１は、角棒形状をしたプラスチック材からなる枠部材２３ａ〜２３ｆと、回転軸の両側に揺動可能な取付板を備えたヒンジ部品２４ａ〜２４ｆとを含んで構成されており、長辺の枠部材２３ａ、２３ｄの両端下面側から、丸棒形状をしたプラスチック材からなる脚部２２ａ〜２２ｄが下方外側に向けて延設されている。また、対向する一対の枠辺を構成する、枠部材２３ｂ、２３ｃ、及び枠部材２３ｅ、２３ｆは、開口枠部２１の一辺（短辺）を２等分する長さに設定されている。また、開口枠部２１の大きさは、袋体１の開口部２の大きさと略同程度か、やや小さめとなるように設定されている。
【００３５】
ヒンジ部品２４ａ、２４ｃ、２４ｄ、２４ｆは、開口枠部２１の四隅の内側側面に取り付けられており、ヒンジ部品２４ｂは、枠部材２３ｂ、２３ｃの連結部の外側側面に取り付けられており、ヒンジ部品２４ｅは、枠部材２３ｅ、２３ｆの連結部の外側側面に取り付けられている。
【００３６】
また、枠部材２３ｂ、２３ｃの連結部の内側側面と、枠部材２３ｅ、２３ｆの連結部の内側側面とには、開口枠部２１の組立状態を保持するためのかんぬき型式のロック手段２５が設けられている。ロック手段２５は、ロック棒２５ａと、ロック棒２５ａを通すための筒部が形成された固定板２５ｂ、２５ｃとを含んで構成されており、ロック棒２５ａを固定板２５ｂ、２５ｃに通した状態にすることにより、ヒンジ部品２４ｂ、２４ｅの揺動が阻止され、開口枠部２１の組立状態が保持されるようになっている。なお、ロック棒２５ａと固定板２５ｂ、２５ｃとの挿通状態は、袋保持具２０を倒したり、逆さにしても外れない構造になっている。
【００３７】
上記構成により、図６（ａ）に示した、組立後（折り畳み前）の状態から開口枠部２１を折り畳むには、左右のロック手段２５のロック状態を解除して（すなわち、ロック棒２５ａを固定板２５ｃから外して）、枠部材２３ｂ、２３ｃ、及び枠部材２３ｅ、２３ｆを、枠の内側に折り畳むことで、図６（ｂ）の状態に開口枠部２１を折り畳むことができるようになっている。また、組み立てる場合には、枠の内側に折り畳まれた枠部材２３ｂ、２３ｃ、及び枠部材２３ｅ、２３ｆを外側に押し広げた後、左右のロック手段２５のロック棒２５ａを固定板２５ｃの筒部に差し込むことにより図６（ａ）の状態に組み立てられる。
【００３８】
また、脚部２２ａ〜２２ｄの長さは、袋体１に装着した時の脚部２２ａ〜２２ｄの先端部分の広がりが、開口枠部２１のサイズよりも小さくならないように（すなわち、自立時の安定性が保たれるように）、好ましくは、開口枠部２１のサイズよりも幾分大きく広がるように袋体１のサイズ等を考慮して設定されている。さらに、脚部２２ａ〜２２ｄの開脚角度θ（垂直軸となす角）は、脚部の長さ、太さ、弾性、及び袋体１のサイズや材質（強度）等を考慮して、脚部２２ａ〜２２ｄによって、袋体１の胴部３が、位置ずれしない程度の力で押さえられる角度であれば、０°より大きく９０°未満の範囲で特に限定されるものではないが、袋体１への装着のしやすさ等を考慮して、例えば、３°〜３０°程度の範囲に設定するのが好ましい。脚部２２ａ〜２２ｄの先端部は、半球状に加工されている。
【００３９】
また、袋保持具２０の袋体１への装着後、複数の挟持具１３によって、袋体１の開口部２が開口枠部２１の内側に巻き付けた状態で止められるようになっており、袋体１の開口部２が弛まないようにしている。
【００４０】
袋保持具２０の袋体１への装着方法は、図２に示した実施の形態（１）に係る袋保持具１０の袋体１への装着方法と略同様に行うことができ、まず準備として、袋体１の開口部２を広げたものを用意し、次に、開口枠部２１の上から枠内に手を通して、袋保持具２０の脚部２２ａ〜２２ｄを片手で束ね、次に、脚部２２ａ〜２２ｄを片手で束ねた状態のまま、袋体１に差し込みながら、開口枠部２１が袋体１の開口部２に引っ掛かる程度まで袋体１の開口部２を引き上げた後、片手で束ねていた脚部２２ａ〜２２ｄを解放すればよい。
【００４１】
すると、脚部２２ａ〜２２ｄが開脚して、袋体１の胴部３に接するとともに、内側に曲げていた脚部２２ａ〜２２ｄの復元力により袋体１の胴部３が押し広げられ、袋体１が位置ずれしないように保持されるとともに、脚部２２ａ〜２２ｄの先端部が広がった状態で自立保持されるようになっている。また、使用時には、袋保持具２０が装着された袋体１を自立させた状態で使用したり、或は、横に倒して、塵取りのように使用することもできる。
【００４２】
上記実施の形態（２）に係る袋保持具２０によれば、上記実施の形態（１）に係る袋保持具１０と略同様な効果が得られるとともに、開口枠部２１が、矩形形状からなり、対向する一対の枠辺（すなわち、枠部材２３ｂ、２３ｃ、及び枠部材２３ｅ、２３ｆ）が互いに２等分された状態で枠内に向けて折り畳めるように構成されているので、開口枠部２１を折り畳んだコンパクトな状態で携帯することができるとともに、不使用時には、開口枠部２１を折り畳んだコンパクトな状態で収納することができ、携帯性及び収納性に優れたものにすることができる。
【００４３】
なお、上記実施の形態（２）では、開口枠部２１が、対向する一対の枠辺（すなわち、枠部材２３ｂ、２３ｃ、及び枠部材２３ｅ、２３ｆ）が互いに２等分された状態で枠内に向けて折り畳めるように構成されているが、別の実施の形態では、開口枠部２１が、対向する一対の枠辺（すなわち、枠部材２３ｂ、２３ｃ、及び枠部材２３ｅ、２３ｆ）が互いに２等分された状態で枠外に向けて折り畳める構成（例えば、ヒンジ部品２４ａ、２４ｃ、２４ｄ、２４ｆを、開口枠部２１の四隅の外側側面に取り付け、ヒンジ部品２４ｂを、枠部材２３ｂ、２３ｃの連結部の内側側面に取り付け、ヒンジ部品２４ｅを、枠部材２３ｅ、２３ｆの連結部の内側側面に取り付けた構成）とすることもできる。
【００４４】
図７は、実施の形態（３）に係る袋保持具を模式的に示した斜視図であり、（ａ）は、袋体未装着時の状態、（ｂ）は、袋体装着時の状態を示している。図８は、実施の形態（３）に係る袋保持具の平面図である。
【００４５】
図中３０は、袋保持具を示しており、袋保持具３０は、柔軟性を有する袋体１の開口部２を支持するための矩形形状をした開口枠部３１と、開口枠部３１の四隅から下方外側に向けて延設された弾性を有する４本の脚部３２ａ〜３２ｄとを備えており、袋体１の内側に挿入される脚部３２ａ〜３２ｄの開脚方向への復元力によって、袋体１の胴部３が保持されるように構成されている。
【００４６】
開口枠部３１は、丸棒形状をしたプラスチック材からなる枠棒部材３３ａ〜３３ｄと、枠の四隅に配置され、隣り合う枠棒部材３３ａ〜３３ｄを直角に連結するとともに、丸棒形状をしたプラスチック材からなる脚部３２ａ〜３２ｄを連結するための三叉円筒状の継手部品３４ａ〜３４ｄとを含んで構成されており（図８参照）、枠棒部材３３ａ〜３３ｄと脚部３２ａ〜３２ｄとを対応する継手部品３４ａ〜３４ｄにそれぞれ差し込んで、組み立てられるようになっている。
【００４７】
また、脚部３２ａ〜３２ｄが継手部品３４ａ〜３４ｄから外れにくくするために、脚部３２ａ〜３２ｄの挿入側の端部と、継手部品３４ａ〜３４ｄの脚部挿入口とにねじを切って、ねじ止めできる構成としたり、脚部３２ａ〜３２ｄの挿入側の端部に凸部（又は凹部）、継手部品３４ａ〜３４ｄの脚部挿入口に凹部（又は凸部）を形成し、これらを係合させる構成としてもよい。また、開口枠部３１の大きさは、袋体１の開口部２の大きさと略同程度か、やや小さめとなるように設定されている。
【００４８】
また、脚部３２ａ〜３２ｄの長さは、袋体１に装着した時の脚部３２ａ〜３２ｄの先端部分の広がりが、開口枠部３１のサイズよりも小さくならないように（すなわち、自立時の安定性が保たれるように）、好ましくは、開口枠部３１のサイズよりも幾分大きく広がるように袋体１のサイズ等を考慮して設定されている。さらに、脚部３２ａ〜３２ｄの開脚角度θ（垂直軸となす角）は、脚部の長さ、太さ、弾性、及び袋体１のサイズや材質（強度）等を考慮し、脚部３２ａ〜３２ｄによって、袋体１の胴部３が、位置ずれしない程度の力で押さえられる角度であれば、０°より大きく９０°未満の範囲で特に限定されるものではないが、袋体１への装着のしやすさ等を考慮して、例えば、３°〜３０°程度の範囲に設定されるように、継手部品３４ａ〜３４ｄの脚部挿入口の角度が設定されるようになっている。脚部３２ａ〜３２ｄの先端部は、半球状に加工されている。
【００４９】
また、袋保持具３０の袋体１への装着後、複数の挟持具１３によって、袋体１の開口部２が開口枠部３１の内側に巻き付けた状態で止められるようになっており、袋体１の開口部２が弛まないようにしている。
【００５０】
袋保持具３０の袋体１への装着方法は、図２に示した実施の形態（１）に係る袋保持具１０の袋体１への装着方法と略同様に行うことができ、まず準備として、袋体１の開口部２を広げたものを用意し、次に、開口枠部３１の上から枠内に手を通して、袋保持具３０の脚部３２ａ〜３２ｄを片手で束ね、次に、脚部３２ａ〜３２ｄを片手で束ねた状態のまま袋体１に差し込み、開口枠部３１が袋体１の開口部２に引っ掛かる程度まで差し込んだ後、片手で束ねていた脚部３２ａ〜３２ｄを解放すればよい。
【００５１】
すると、脚部３２ａ〜３２ｄが開脚して、袋体１の胴部３に接するとともに、内側に曲げていた脚部３２ａ〜３２ｄの復元力により袋体１の胴部３が押し広げられ、袋体１が位置ずれしないように保持されるとともに、脚部３２ａ〜３２ｄの先端部が広がった状態となり、自立安定性が高められるようになっている。また、使用時には、袋保持具３０が装着された袋体１を自立させた状態で使用したり、或は、横に倒して、塵取りのように使用することもできる。
【００５２】
上記実施の形態（３）に係る袋保持具３０によれば、上記実施の形態（１）に係る袋保持具１０と略同様な効果が得られるとともに、開口枠部３１が、枠棒部材３３ａ〜３３ｄと、枠棒部材３３ａ〜３３ｄ及び脚部３２ａ〜３２ｄを連結するための継手部品３４ａ〜３４ｄとを含んで構成されているので、不使用時には、開口枠部３１を枠棒部材３３ａ〜３３ｄと継手部品３４ａ〜３４ｄとに分解し、各部を分解したコンパクトな状態で収納することができ、収納性に優れたものとすることができる。
【００５３】
なお、上記実施の形態（３）では、開口枠部３１が、枠棒部材３３ａ〜３３ｄと、枠棒部材３３ａ〜３３ｄ及び脚部３２ａ〜３２ｄを連結するための継手部品３４ａ〜３４ｄとで構成され、不使用時には、分解してコンパクトな状態にして収納することができるようになっているが、各部品を紛失しないように、袋や箱等に入れて収納する必要がある。そこで、別の実施の形態では、図９に示すように、各継手部品３４ａ〜３４ｄに連結される枠棒部材３３ａ〜３３ｄと脚部３２ａ〜３２ｄとの端部を、伸縮性のあるコイルバネ３５（或は弾性繊維等）で連結するようにしてもよく、係る構成によれば、各部を分解したあとでも、部品がばらばらになることなく、繋がった状態で折り畳んで収納することができ、また、繋がった状態になっているので組立時間も短縮することができる。
【００５４】
なお、上記実施の形態（１）〜（３）では、袋保持具１０（２０、３０）の脚部１２ａ〜１２ｅ（２２ａ〜２２ｄ、３２ａ〜３２ｄ）を片手で束ねた状態のまま、袋体１へ差し込む装着方法について説明したが、別の実施の形態では、脚部を束ねる巻き止め具を使用するようにしてもよい。例えば、図１０（ａ）に示したような、脚部を挿入するための脚部挿入部４１と、脚部を束ねるための伸縮性帯部４２と、伸縮性帯部４２の両端に設けられた係止部４３とを備えた巻き止め具４０を使用することができ、巻き止め具４０を使用すれば、図１０（ｂ）に示した状態に袋保持具１０の脚部１２ａ〜１２ｅを束ねることができ、脚部１２ａ〜１２ｅを束ねた状態のまま、袋体１に差し込みながら、開口枠部１１が、袋体１の開口部２に引っ掛かる程度まで、袋体１の開口部２を上に引き上げる作業、すなわち、袋保持具１０の位置合わせを容易に行うことができる。そして、巻き止め具４０の係止部４３による脚部１２ａ〜１２ｅの結束状態を解除することにより、脚部１２ａ〜１２ｅによる袋体１の胴部３の適切な保持状態を作り出すことができ、袋体１への装着を確実かつ容易に行うことができる。
【００５５】
また、上記実施の形態（１）〜（３）では、袋保持具１０、２０、３０が、大容量（例えば、４５Ｌ以上）の袋体１に適用される場合について説明したが、大容量の袋体１への適用に限定されるものではなく、大小さまざまな柔軟性のある袋体、例えば、スーパーのレジ袋、小型のビニール袋、網袋、布袋、紙袋などにも適用することができ、袋体のサイズ等に合わせて、袋保持具の各部のサイズ等を設定すればよく、また、ごみを入れる用途以外にも適用することができる。
【図面の簡単な説明】
【００５６】
【図１】本考案の実施の形態（１）に係る袋保持具を模式的に示した斜視図であり、（ａ）は、袋体未装着時の状態、（ｂ）は、袋体装着時の状態を示している。
【図２】（ａ）〜（ｃ）は、実施の形態（１）に係る袋保持具の袋体への装着方法を説明するための図である。
【図３】実施の形態（１）に係る袋保持具が装着された袋体の別の使用方法を説明するための図である。
【図４】（ａ）、（ｂ）は、別の実施の形態に係る袋保持具の開口枠部の構造を模式的に示した部分拡大断面図であり、（ａ）は、袋体を係止片で止める前の状態、（ｂ）は袋体を係止片で止めた後の状態を示している。
【図５】実施の形態（２）に係る袋保持具を模式的に示した斜視図であり、（ａ）は、袋体未装着時の状態、（ｂ）は、袋体装着時の状態を示している。
【図６】実施の形態（２）に係る袋保持具の開口枠部の折り畳み構造を説明するための図であり、（ａ）は、組立後（折り畳み前）の状態を示す平面図、（ｂ）は、折り畳み後の状態を示す平面図である。
【図７】実施の形態（３）に係る袋保持具を模式的に示した斜視図であり、（ａ）は、袋体未装着時の状態、（ｂ）は、袋体装着時の状態を示している。
【図８】実施の形態（３）に係る袋保持具の組立後の状態を示す平面図である。
【図９】別の実施の形態に係る袋保持具の組立後の状態を示す部分断面平面図である。
【図１０】（ａ）は、巻き止め具を模式的に示した斜視図であり、（ｂ）は、巻き止め具を使用して袋保持具の脚部を結束した状態を示した図である。
【図１１】従来のごみ袋の固定器具を模式的に示した斜視図である。
【符号の説明】
【００５７】
１  袋体
２  開口部
３  胴部
１０、２０、３０  袋保持具
１１、２１、３１  開口枠部                                                      １２ａ〜１２ｅ、２２ａ〜２２ｄ、３２ａ〜３２ｄ  脚部
【図１】
0003117788.tif 000003
【図２】
0003117788.tif 000004
【図３】
0003117788.tif 000005
【図４】
0003117788.tif 000006
【図５】
0003117788.tif 000007
【図６】
0003117788.tif 000008
【図７】
0003117788.tif 000009
【図８】
0003117788.tif 000010
【図９】
0003117788.tif 000011
【図１０】
0003117788.tif 000012
【図１１】
0003117788.tif 000013